(57)【特許請求の範囲】
【請求項１】
光源装置と、
前記光源装置から出射された光を変調して、第１変調光として出射する第１光変調装置と、
前記第１変調光を変調して、第２変調光として出射する第２光変調装置と、
前記第２変調光を投射する投射光学装置と、
前記第１光変調装置と前記第２光変調装置との間の光路上に配置され、前記第１変調光を前記第２光変調装置に結像させる複数のレンズを有するリレー装置と、
前記第１光変調装置と前記リレー装置との間、及び、前記リレー装置と前記第２光変調装置との間の少なくともいずれかの光路上に配置され、入射される光を透過する透過板と、前記透過板に入射される光の中心軸に略垂直な回動軸を中心として、前記透過板を往復回動させる駆動部と、を有し、前記第１変調光を拡散させて、前記第２光変調装置に入射させる光拡散装置と、を備えることを特徴とするプロジェクター。
【請求項２】
請求項１に記載のプロジェクターにおいて、
前記第１光変調装置は、入射される光を変調する複数の調光画素を有し、
前記第２光変調装置は、入射される光を変調する複数の変調画素を有し、
前記光拡散装置は、入射される１つの前記調光画素による前記第１変調光を、前記１つの調光画素に対応する前記変調画素を含み、かつ、当該変調画素より大きな範囲に拡散させて、前記第２光変調装置に入射させることを特徴とするプロジェクター。
【請求項３】
請求項２に記載のプロジェクターにおいて、
前記透過板は、
前記第１光変調装置と前記リレー装置との間に配置され、入射される光を透過する第１透過板と、
前記リレー装置と前記第２光変調装置との間に配置され、入射される光を透過する第２透過板と、を含み、
前記駆動部は、
前記第１透過板に入射される光の中心軸に略垂直な第１方向に沿う第１回動軸を中心として、前記第１透過板を往復回動させる第１駆動部と、
前記中心軸及び前記第１方向のそれぞれに略垂直な第２方向に沿う第２回動軸を中心として、前記第２透過板を往復回動させる第２駆動部と、を含むことを特徴とするプロジェクター。
【請求項４】
請求項３に記載のプロジェクターにおいて、
前記第１駆動部による前記第１透過板の往復回動の周波数と、前記第２駆動部による前記第２透過板の往復回動の周波数とは、異なることを特徴とするプロジェクター。
【請求項５】
請求項３又は請求項４に記載のプロジェクターにおいて、
前記複数の調光画素のうち、前記透過板の往復回動による前記第１変調光の振幅方向に隣接する調光画素間のピッチをＬとし、前記リレー装置の倍率をＭとした場合、前記透過板の往復回動の振幅は、０．５ＭＬ以上、４ＭＬ以下であることを特徴とするプロジェクター。
【発明の詳細な説明】
【技術分野】
【０００１】
本発明は、プロジェクターに関する。
【背景技術】
【０００２】
従来、光源から出射された光を変調して画像情報に応じた画像を形成し、当該画像をス
クリーン等の被投射面上に拡大投射するプロジェクターが知られている。このようなプロ
ジェクターとして、空間変調素子を直列に２つ並べたものが知られている（例えば、特許
文献１参照）。
【０００３】
この特許文献１に記載のプロジェクターでは、２つ以上の空間変調素子（色変調ライト
バルブ及び輝度変調ライトバルブ）が直列に配置される他、リレー光学系が、これら空間
変調素子の間に設けられている。そして、一方の空間変調素子（色変調ライトバルブ）か
ら出射された光は、リレー光学系を介して、他方の空間変調素子（輝度変調ライトバルブ
）に入射される。これにより、形成及び投射される画像のコントラストが高められる。
なお、上記特許文献１に記載のプロジェクターでは、リレー光学系は、上記一方の空間
変調素子の像を他方の空間変調素子に完全には結像させず、デフォーカス状態としている
。これにより、空間変調素子の画素間のブラックマトリクスによるモアレの発生が抑制さ
れている。
【先行技術文献】
【特許文献】
【０００４】
【特許文献１】特開２００７−２１８９４６号公報
【発明の概要】
【発明が解決しようとする課題】
【０００５】
しかしながら、上記特許文献１に記載のプロジェクターでは、デフォーカス像は、上記
一方の空間変調素子に入射される光の配向分布に依存する。このため、配光分布が離散的
である場合（例えばインテグレーター系を通過後）は、デフォーカス像も離散的になり、
空間変調素子の画素間のブラックマトリクスが目立ちやすく、モアレが発生しやすいとい
う問題がある。また、光源の位置ずれなどにより配光分布に偏りが生じた場合、照明分布
に変化が生じ、投射画像に本来は無いスジのようなものが生じてしまう。
【０００６】
本発明は、上記課題の少なくとも一部を解決することを目的としたものであり、画像に
乱れが生じることを抑制できるプロジェクターを提供することを目的の１つとする。
【課題を解決するための手段】
【０００７】
本発明の一態様に係るプロジェクターは、光源装置と、前記光源装置から出射された光
を変調して、第１変調光として出射する第１光変調装置と、前記第１変調光を変調して、
第２変調光として出射する第２光変調装置と、前記第２変調光を投射する投射光学装置と
、前記第１光変調装置と前記第２光変調装置との間の光路上に配置され、前記第１変調光
を前記第２光変調装置に結像させる複数のレンズを有するリレー装置と、前記第１変調光
を拡散させて、前記第２光変調装置に入射させる光拡散装置と、を備えることを特徴とす
る。
【０００８】
上記一態様によれば、第１光変調装置から出射された第１変調光は、複数のレンズを有
するリレー装置を介して第２光変調装置に結像される際に、光拡散装置によって拡散され
て当該第２光変調装置に入射される。これによれば、第１光変調装置による第１変調光を
拡散させて、第２光変調装置に入射させることができるので、第２光変調装置に入射され
る光の照明分布を、配光分布に依存しない照明分布とすることができる。このため、第１
光変調装置に入射する光の配光分布に左右されずに、第１光変調装置の画素間（ブラック
マトリクス）を目立たなくすることができ、ひいては、投射画像にモアレが生じることを
抑制できる。更に、投射画像に本来は無いスジが現れることを抑制できる。従って、投射
画像が乱れることを抑制できる。
【０００９】
上記一態様では、前記第１光変調装置は、入射される光を変調する複数の調光画素を有
し、前記第２光変調装置は、入射される光を変調する複数の変調画素を有し、前記光拡散
装置は、入射される１つの前記調光画素による前記第１変調光を、前記１つの調光画素に
対応する前記変調画素を含み、かつ、当該変調画素より大きな範囲に拡散させて、前記第
２光変調装置に入射させることが好ましい。
上記一態様によれば、それぞれの調光画素による第１変調光を、対応する変調画素を含
む広い範囲に入射させることができる。従って、上記モアレ及びスジの発生を確実に抑制
でき、投射画像が乱れることを確実に抑制できる。
【００１０】
上記一態様では、前記光拡散装置は、前記第１光変調装置と前記リレー装置との間、及
び、前記リレー装置と前記第２光変調装置との間の少なくともいずれかの光路上に配置さ
れ、入射される光を透過する透過板と、前記透過板に入射される光の中心軸に略垂直な回
動軸を中心として、前記透過板を往復回動させる駆動部と、を有することが好ましい。
ここで、透過板が第１変調光の中心軸に対して傾斜して配置されると、第１変調光が透
過板を通過する際の屈折によって、第２光変調装置における第１変調光の中心位置は、透
過板が傾斜していない場合に比べてずれる。このため、駆動部により透過板が上記回動軸
を中心として往復回動されることにより、対応する変調画素に入射される第１変調光の中
心位置を時間経過とともにずらすことができる。従って、透過板を通過する第１変調光を
確実に拡散させることができ、上記効果を好適に奏することができる。
【００１１】
上記一態様では、前記透過板は、前記第１光変調装置と前記リレー装置との間に配置さ
れ、入射される光を透過する第１透過板と、前記リレー装置と前記第２光変調装置との間
に配置され、入射される光を透過する第２透過板と、を含み、前記駆動部は、前記第１透
過板に入射される光の中心軸に略垂直な第１方向に沿う第１回動軸を中心として、前記第
１透過板を往復回動させる第１駆動部と、前記中心軸及び前記第１方向のそれぞれに略垂
直な第２方向に沿う第２回動軸を中心として、前記第２透過板を往復回動させる第２駆動
部と、を含むことが好ましい。
上記一態様によれば、第１駆動部及び第２駆動部によって往復回動される第１透過板及
び第２透過板により、第１変調光をそれぞれ異なる方向に拡散させることができる。これ
によれば、１つの調光画素による第１変調光を、対応する変調画素を含む広い範囲に確実
に入射させることができる。従って、上記効果を確実に奏することができる。
【００１２】
上記一態様では、前記第１駆動部による前記第１透過板の往復回動の周波数と、前記第
２駆動部による前記第２透過板の往復回動の周波数とは、異なることが好ましい。
上記一態様によれば、第１駆動部及び第２駆動部は、それぞれ異なる周波数にて第１透
過板及び第２透過板を往復回動させる。これによれば、調光画素毎の第１変調光の中心位
置を、当該中心位置の移動可能範囲内において至る所に移動させることができる。このた
め、当該調光画素毎の第１変調光を、対応する変調画素を含む広い範囲に均一に入射させ
ることができる。従って、上記画像の乱れが生じることを一層確実に抑制できる。
【００１３】
上記一態様では、前記複数の調光画素のうち、前記透過板の往復回動による前記第１変
調光の振幅方向に隣接する調光画素間のピッチをＬとし、前記リレー装置の倍率をＭとし
た場合、前記透過板の往復回動の振幅は、０．５ＭＬ以上、４ＭＬ以下であることが好ま
しい。
なお、透過板が上記第１透過板及び第２透過板を含む場合には、第１透過板及び第２透
過板のそれぞれの往復回動の振幅が、上記範囲を満たすこととしてもよく、一方の透過板
の往復回動の振幅のみが、上記範囲を満たすこととしてもよい。また、透過板の往復回動
の方向、すなわち、第１変調光の振幅の方向は、画素を囲む一辺に垂直な方向であっても
よく、対角方向であってもよい。
ここで、第１変調装置の画素間（ブラックマトリクス）目立たなくするには、上記透過
板の振幅を大きくし、第１変調光が入射される範囲を大きくすることが好ましい。しかし
ながら、当該範囲が大きくなりすぎると、ハローが目立つようになる。
これに対し、上記一態様によれば、透過板の往復回動の振幅が上記範囲を満たすことに
より、入射される第１変調光を確実に拡散させて、対応する変調画素を中心とし、かつ、
当該変調画素を含む広い範囲に入射さることができる。そして、第１変調光の中心位置が
移動されて、ブラックマトリクスの影を分散させることができるので、当該ブラックマト
リクスを目立たなくすることができる。従って、上記ブラックマトリクスを目立たなくさ
せることができる他、ハローが目立つことを抑制できる。特に、透過板の往復回動によっ
て移動される第１変調光の振幅の方向が、調光画素及び変調画素の対角方向である場合に
は、上記透過板の往復回動の振幅を０．５ＭＬとすると、上記効果を一層好適に奏するこ
とができる。
【００１４】
上記一態様では、前記光拡散装置は、入射される前記第１変調光を拡散させて前記第２
光変調装置に入射させる拡散板を有することが好ましい。
上記一態様によれば、光拡散装置が、上記透過板及び上記駆動部を有する場合と同様に
、拡散板によって、当該拡散板を通過する第１変調光を確実に拡散させることができる。
従って、上記効果を好適に奏することができる。
【００１５】
上記一態様では、前記拡散板は、前記第１光変調装置と前記リレー装置との間に配置さ
れていることが好ましい。
ここで、拡散板が第２光変調装置に比較的近い場合には、入射される第１変調光を十分
に拡散させることができない可能性がある。
これに対し、拡散板が、第１光変調装置とリレー装置との間に配置されていることによ
り、第２光変調装置に比較的近い位置に配置されている場合に比べて、当該第２光変調装
置までの距離を長くすることができる。これによれば、拡散板によって第１変調光を確実
に拡散させて、第２光変調装置に入射させることができる。従って、上記効果をより確実
に奏することができる。
【図面の簡単な説明】
【００１６】
【図１】本発明の第１実施形態に係るプロジェクターの内部構成を示す模式図。
【図２】上記第１実施形態における光学装置の一部を示す模式図。
【図３】上記第１実施形態における第１シフト素子を±Ｄ１方向に回動させた場合に１つの調光画素から出射された第１変調光の照射範囲を示す図。
【図４】上記第１実施形態における第１シフト素子及び第２シフト素子を±Ｄ１方向及び±Ｄ２方向に回動させた場合に１つの調光画素から出射された第１変調光の照明範囲を示す図。
【図５】上記第１実施形態における第１シフト素子及び第２シフト素子の回動態様を示す図。
【図６】上記第１実施形態における調光ライトバルブの各調光画素による調光状態を示す模式図。
【図７】上記第１実施形態における光拡散装置によって拡散させた第１変調光の画像形成ライトバルブの変調画素への入射範囲を示す模式図。
【図８】上記第１実施形態における第１シフト素子及び第２シフト素子の他の回動態様を示す図。
【図９】上記第１実施形態における第１シフト素子及び第２シフト素子の他の回動態様を示す図。
【図１０】本発明の第２実施形態に係るプロジェクターが有する光学装置の一部を示す模式図。
【発明を実施するための形態】
【００１７】
［第１実施形態］
以下、本発明の第１実施形態について、図面に基づいて説明する。
［プロジェクターの外観構成］
図１は、本実施形態に係るプロジェクター１の内部構成を示す模式図である。
本実施形態に係るプロジェクター１は、光源から出射された光を変調して画像情報に応
じた画像を形成し、当該画像をスクリーン等の被投射面上に拡大投射するものである。こ
のプロジェクター１は、図１に示すように、照明装置２、色分離装置３、３つの調光装置
４、３つのリレー装置５、３つの画像形成装置６、色合成装置７、投射光学装置８及び３
つの光拡散装置９を有する光学装置１０と、これら装置２〜９を内部に収納する外装筐体
（図示省略）と、を備える。この他、プロジェクター１は、図示を省略するが、プロジェ
クター１の動作を制御する制御装置、当該プロジェクター１の電子部品に電力を供給する
電源装置、及び、冷却対象を冷却する冷却装置を備える。
【００１８】
このようなプロジェクター１は、詳しくは後述するが、調光装置４の調光ライトバルブ
４２によって、照明装置２から出射されて色分離装置３によって分離された色光の光軸直
交面内の照度分布を上記画像情報に応じて調整し、当該色光（第１変調光）を、対応する
画像形成装置６の画像形成ライトバルブ６１によって更に変調して当該画像情報に応じた
画像を形成及び投射する。これにより、投射画像のコントラストが高められる。
このプロジェクター１において、調光ライトバルブ４２と画像形成ライトバルブ６１と
の間の光路上に位置するリレー装置５により、上記第１変調光の像は、画像形成ライトバ
ルブ６１の変調面６３１に結像される。この際、対応する光路上に位置する光拡散装置９
が、調光ライトバルブ４２の画素（以下、調光画素という場合がある）毎の第１変調光を
拡散させ、変調面６３１において対応する画素（以下、変調画素という場合がある）を含
む広い範囲に当該第１変調光を入射させる。これにより、ある調光画素による第１変調光
の照射範囲が拡大され、これにより、調光画素間が（ブラックマトリクスが形成されてい
る場合は画素を囲むブラックマトリクス）目立たなくなるため、投射画像においてモアレ
等の乱れが発生することが抑制される。
以下、プロジェクター１の上記光学装置１０の構成について説明する。
【００１９】
［照明装置の構成］
照明装置２は、光源装置２１及び均一化装置２４を備え、色分離装置３に向けて、上記
光軸直交面内の照度分布が均一化された光束を出射する。
光源装置２１は、超高圧水銀ランプ等の光源ランプ２２及びリフレクター２３を備え、
均一化装置２４に向けて光束を出射する。なお、光源装置２１は、このような構成に限ら
ず、固体光源を備える構成を採用してもよい。この場合、例えば、赤、緑及び青の各色光
を出射するＬＥＤ（Light Emitting Diode）を備える構成としてもよく、励起光としての
青色光を出射するＬＤ（Laser Diode）と、当該励起光により励起されて緑色光及び赤色
光を含む蛍光を出射する蛍光体とを備える構成としてもよい。
【００２０】
均一化装置２４は、光源装置２１から入射される光束の中心軸に直交する面内の照度分
布を均一化し、当該照度分布が均一化された光束を色分離装置３に向けて出射する。この
均一化装置２４は、第１レンズアレイ２５、第２レンズアレイ２６、偏光変換素子２７及
び重畳レンズ２８を有する。
第１レンズアレイ２５は、詳しい図示を省略するが、入射される光束の中心軸に直交す
る面内にマトリクス状に配列され、入射される光束を複数の部分光束に分割する複数の小
レンズを有する。第２レンズアレイ２６も同様に複数の小レンズを有し、重畳レンズ２８
、及び、色分離装置３に含まれる重畳レンズ３８，３９とともに、各小レンズの像を後述
する調光ライトバルブ４２の変調面４４１（図２参照）に重畳させる。
偏光変換素子２７は、第２レンズアレイ２６から入射される各部分光束の偏光方向を揃
える機能を有する。すなわち、偏光変換素子２７は、入射される光をｐ偏光及びｓ偏光の
いずれかに揃えて出射する。
【００２１】
［色分離装置］
色分離装置３は、照明装置２から入射される光束から、赤（Ｒ）、緑（Ｇ）及び青（Ｂ
）の各色光を分離するとともに、分離された各色光を、調光装置４、リレー装置５及び光
拡散装置９を介して、各画像形成装置６に導く機能を有する。この色分離装置３は、クロ
スダイクロイックミラー３１、ダイクロイックミラー３２、反射ミラー３３〜３７及び重
畳レンズ３８，３９を有する。
クロスダイクロイックミラー３１は、照明装置２から入射される光の中心軸に対して略
４５°の交差角で交差した２つのダイクロイックミラー３１１，３１２を有する。これら
のうち、一方のダイクロイックミラー３１１は、青色光を反射させ、緑色光及び青色光を
透過させる特性を有し、他方のダイクロイックミラー３１２は、青色光を透過させ、緑色
光及び赤色光を反射させる特性を有する。このため、クロスダイクロイックミラー３１に
入射された光束のうち、青色光は、ダイクロイックミラー３１１によって反射され、緑色
光及び赤色光は、ダイクロイックミラー３１２によって反射されて、上記青色光とは反対
方向に進行する。
【００２２】
反射ミラー３３は、分離された青色光を反射させて、当該青色光の光路を９０°折り曲
げる。この青色光は、重畳レンズ３８を通過して、調光装置４Ｂに入射される。そして、
当該調光装置４Ｂ及びリレー装置５Ｂを通過した青色光の光路は、反射ミラー３４によっ
て９０°折り曲げられ、当該青色光は、画像形成装置６Ｂに入射される。
【００２３】
反射ミラー３５は、分離された緑色光及び赤色光を反射させて、これら色光の光路を９
０°折り曲げる。これら色光は、重畳レンズ３９を通過して、ダイクロイックミラー３２
に入射される。
ダイクロイックミラー３２は、緑色光を反射させ、赤色光を透過させる。このダイクロ
イックミラー３２にて反射された緑色光は、調光装置４Ｇを介して反射ミラー３６に入射
され、当該反射ミラー３６によって反射されて光路が９０°折り曲げられた緑色光は、リ
レー装置５Ｇを介して画像形成装置６Ｇに入射される。
また、ダイクロイックミラー３２を透過した赤色光は、調光装置４Ｒ及びリレー装置５
Ｒを通過した後、反射ミラー３７によって反射されて光路が９０°折り曲げられ、画像形
成装置６Ｒに入射される。
【００２４】
［調光装置の構成］
調光装置４は、色分離装置３によって分離された色光毎に設けられ、上記制御装置から
入力される画像情報に応じて、入射される色光の中心軸に直交する面内の照度分布を調整
する。これら調光装置４（赤、緑及び青の各色光用の調光装置を、それぞれ４Ｒ，４Ｇ、
４Ｂとする）は、それぞれ、入射された色光を平行化するフィールドレンズ４１と、第１
光変調装置としての調光ライトバルブ４２と、を備える。
調光ライトバルブ４２は、入射側偏光板４３、液晶パネル４４及び出射側偏光板４５を
備えて構成される。これらのうち、液晶パネル４４は、透過型の液晶パネルにより構成さ
れ、当該液晶パネル４４において入射される光束（色光）を変調する変調面４４１には、
複数の調光画素がマトリクス状に配列されている。そして、調光ライトバルブ４２は、当
該液晶パネル４４によって入射される光を変調して、画像情報に応じた上記照度分布を有
する第１変調光を出射する。
【００２５】
［リレー装置の構成］
図２は、光学装置１０の一部を拡大して示す模式図であり、調光装置４及びリレー装置
５を介して画像形成装置６に入射される光の光路を示す模式図である。なお、図２におい
ては、色分離装置３が有する反射ミラーによる光路の変更を省略している。
リレー装置５は、色分離装置３によって分離された色光毎に設けられ、当該調光装置４
から入射される第１変調光の像（調光画素の像）を、画像形成装置６を構成する画像形成
ライトバルブ６１の変調面６３１に結像させる機能を有する。このようなリレー装置５（
赤、緑及び青の各色光用のリレー装置を、それぞれ５Ｒ，５Ｇ，５Ｂとする）は、それぞ
れ、図１及び図２に示すように、ダブルガウスレンズ５１と、一対のメニスカスレンズ５
２，５３を有する。
【００２６】
ダブルガウスレンズ５１は、第１変調光の入射順に、第１レンズ５１１、第１色消しレ
ンズ５１２、第２色消しレンズ５１３及び第２レンズ５１４を有する。なお、第１色消し
レンズ５１２及び第２色消しレンズ５１３は、２枚のレンズをそれぞれ組み合わせた構成
となっている。すなわち、第１色消しレンズ５１２は、レンズ５１２１とレンズ５１２２
とを貼り合せて構成され、第２色消しレンズ５１３は、レンズ５１３１とレンズ５１３２
とを貼り合せて構成されている。従って、第１色消しレンズ５１２及び第２色消しレンズ
５１３は、表面及び裏面と貼り合せ面との合計３つのレンズ面をそれぞれ有する。
【００２７】
一対のメニスカスレンズ５２，５３は、正の屈折力を有するレンズであり、それぞれ同
一形状を有する。これらメニスカスレンズ５２，５３は、対応する色光の光路上において
、ダブルガウスレンズ５１を挟むようにして、当該ダブルガウスレンズ５１を基準に対称
に配置されている。更に、メニスカスレンズ５２，５３は、ダブルガウスレンズ５１側に
凸であるように配置されている（すなわち、凸面がダブルガウスレンズ５１に向くように
配置されている）。
【００２８】
このような構成を有するリレー装置５により、図２に示すように、上記調光装置４の調
光ライトバルブ４２から出射された調光画素毎の第１変調光は、対応する画像形成装置６
の画像形成ライトバルブ６１において照明光軸Ａｘを中心として対称に位置し、当該調光
ライトバルブ４２の調光画素に対応する変調画素に結像される。
【００２９】
なお、メニスカスレンズ５２は、対応する調光装置４の光出射側で、かつ、当該調光装
置４に近い位置に配置され、メニスカスレンズ５３は、対応する画像形成装置６の光入射
側で、かつ、当該画像形成装置６に近い位置に配置される。そして、調光装置４とメニス
カスレンズ５２との間には、光拡散装置９の後述する第１シフト素子９１が配置され、メ
ニスカスレンズ５３と画像形成装置６との間には、光拡散装置９の後述する第２シフト素
子９２が配置される。この光拡散装置９の構成については、後に詳述する。
【００３０】
［画像形成装置の構成］
図１に戻り、画像形成装置６は、色分離装置３によって分離された色光毎に設けられ、
それぞれ入射される色光を変調して、上記制御装置から入力される画像情報に応じた画像
を形成する。これら画像形成装置６（赤、緑及び青の各色光用の画像形成装置を、それぞ
れ６Ｒ，６Ｇ，６Ｂとする）は、それぞれ、第２光変調装置としての画像形成ライトバル
ブ６１を備え、当該画像形成ライトバルブ６１は、入射側偏光板６２、液晶パネル６３及
び出射側偏光板６４を備えて構成される。
これらのうち、液晶パネル６３は、上記液晶パネル４４と同様に、透過型の液晶パネル
により構成され、当該液晶パネル６３において入射される光束（色光）を変調する変調面
６３１には、上記調光画素に対応する複数の変調画素がマトリクス状に配列されている。
そして、画像形成ライトバルブ６１は、入射される第１変調光を変調画素毎に変調して上
記画像情報に応じた画像光である第２変調光を形成し、当該第２変調光を色合成装置７に
向けて出射する。
【００３１】
なお、液晶パネル６３は、本実施形態では、上記液晶パネル４４と解像度が同じである
。このため、液晶パネル６３の各変調画素と、液晶パネル４４の各調光画素とは、互いに
１対１で対応し、液晶パネル４４の１つの調光画素によって変調された第１変調光は、液
晶パネル６３が有する複数の変調画素のうち、対応する１つの変調画素に主に入射される
。しかしながら、これに限らず、調光ライトバルブ４２を構成する液晶パネル４４の変調
単位を１画素単位とするのではなく複数画素単位として、当該変調単位の数を、画像形成
ライトバルブ６１を構成する液晶パネル６３の変調画素数より少なくしてもよい。また、
液晶パネル６３と液晶パネル４４とは、解像度が異なっていてもよく、例えば、液晶パネ
ル６３の解像度が液晶パネル４４の解像度より高くてもよい。
【００３２】
［色合成装置及び投射光学装置の構成］
色合成装置７は、各画像形成装置６から入射される各色光の画像光（各色光の第２変調
光）を合成して投射画像を形成し、当該投射画像を投射光学装置８に向けて出射する。こ
の色合成装置７は、本実施形態では、３つの入射面と１つの出射面を有するクロスダイク
ロイックプリズムにより構成され、各入射面は、対応する画像形成ライトバルブ６１に対
向し、出射面は、投射光学装置８に対向する。
投射光学装置８は、入射される投射画像を上記被投射面上に拡大投射する。この投射光
学装置８は、図示を省略するが、鏡筒と、当該鏡筒内に収納配置される複数のレンズとを
有する組レンズとして構成されている。
【００３３】
［光拡散装置の構成］
光拡散装置９は、色分離装置３によって分離された色光毎に設けられ、上記調光装置４
から入射される調光画素毎の第１変調光を拡散させて、リレー装置５を介して、画像形成
装置６が有する画像形成ライトバルブ６１の変調面６３１（液晶パネル６３の変調面６３
１）において対応する変調画素を含む広い範囲に入射させる機能を有する。これら光拡散
装置９（赤、緑及び青の各色光用の光拡散装置を、それぞれ９Ｒ，９Ｇ、９Ｂとする）は
、図２に示すように、それぞれ、第１シフト素子９１、第２シフト素子９２、第１駆動部
９３及び第２駆動部９４を有する。
【００３４】
［第１シフト素子及び第２シフト素子の構成］
第１シフト素子９１及び第２シフト素子９２は、それぞれ本発明の透過板（第１透過板
及び第２透過板）に相当し、例えば合成樹脂やガラス等の光透過性材料により構成される
透光性部材である。本実施形態では、各シフト素子９１，９２は、当該材料により、光入
射側の面と光出射側の面とが平行な平板状に形成されている。
これらのうち、第１シフト素子９１は、上記のように、それぞれ対応する調光装置４及
びリレー装置５の間に配置され、第２シフト素子９２は、それぞれ対応するリレー装置５
及び画像形成装置６の間に配置される。そして、これらシフト素子９１，９２は、入射さ
れる第１変調光の中心軸に光入射側の面が直交する状態から第１駆動部９３，９４によっ
て往復回動され、入射される調光画素毎の第１変調光の照射位置をシフトさせる。
【００３５】
［第１駆動部及び第２駆動部の構成］
第１駆動部９３及び第２駆動部９４は、それぞれ本発明の駆動部（第１駆動部及び第２
駆動部）に相当し、上記制御装置による制御の下で駆動するアクチュエーターにより構成
される。これら第１駆動部９３及び第２駆動部９４は、それぞれ第１シフト素子９１及び
第２シフト素子９２に入射される第１変調光の中心軸に対する垂直方向に沿い、かつ、互
いに垂直な回動軸を中心として、各シフト素子９１，９２を所定周波数で往復回動させる
。
【００３６】
具体的に、第１駆動部９３は、第１シフト素子９１に入射される第１変調光の中心軸に
対して垂直な方向である第１方向に沿う第１回動軸Ｒ１（図３参照）を中心として、当該
中心軸に光入射面が直交した状態の第１シフト素子９１を第１周波数（例えば、１４４０
Ｈｚ）で往復回動させる。
また、第２駆動部９４は、第２シフト素子９２に入射される第１変調光の中心軸に垂直
な第２方向に沿う第２回動軸を中心として、当該中心軸に光入射面が直交した状態の第２
シフト素子９２を第２周波数（例えば、１６５６Ｈｚ）で往復回動させる。
これら第１方向及び第２方向は、調光装置４からリレー装置５を介して画像形成装置６
に入射される第１変調光の光路を、反射ミラー等による屈曲を省略して直線状とした場合
に、互いに垂直な方向である。また、この場合において、上記第１回動軸及び第２回動軸
は、互いに垂直である。
【００３７】
これら駆動部９３，９４により、各シフト素子９１，９２が回動されると、当該各シフ
ト素子９１，９２を第１変調光が通過する際に、屈折によって当該第１変調光の光路がシ
フト素子９１，９２の回動方向に変更される。これにより、第１変調光は拡散され、対応
する変調画素に対する照射範囲が拡大される。
【００３８】
図３は、第１駆動部９３が第１シフト素子９１を±Ｄ１方向に回動させた場合に１つの
調光画素から出射された第１変調光の変調面６３１における照射範囲を示す図である。
第１シフト素子９１が、図３に示すように、上記第１回動軸Ｒ１を中心として±Ｄ１方
向に交互に回動されると、或る１つの調光画素による第１変調光の照射範囲（白く示した
照射範囲）は、当該第１シフト素子９１を回動させなかった場合の照射範囲Ａ１（二点鎖
線によって示す照射範囲）に比べて±Ｄ１方向に広がる。
【００３９】
図４は、第１駆動部９３及び第２駆動部９４が第１シフト素子９１及び第２シフト素子
９２をそれぞれ±Ｄ１方向及び±Ｄ２方向に回動させた場合に１つの調光画素から出射さ
れた第１変調光の照明範囲を示す図である。
上記第１シフト素子９１の回動に加えて、第２シフト素子９２が、図４に示すように、
上記第２回動軸を中心として±Ｄ２方向に交互に回動されると、第１変調光の照射範囲（
白く示した照射範囲）は、各シフト素子９１，９２を回動させなかった場合の照射範囲Ａ
１（二点鎖線によって示す照射範囲）に比べて±Ｄ２方向に更に広がる。なお、±Ｄ２方
向は、第１変調光の進行方向に沿って見た場合に、変調面６３１において上記±Ｄ１方向
に直交する方向である。
【００４０】
［第１駆動部及び第２駆動部による第１シフト素子及び第２シフト素子の回動態様］
図５は、第１シフト素子９１及び第２シフト素子９２の回動態様を示す図である。なお
、図５の縦軸において、＋の値は、＋Ｄ１方向及び＋Ｄ２に第１シフト素子９１及び第２
シフト素子９２が回動された場合の１つの調光画素の第１変調光の中心位置を示し、−の
値は、−Ｄ１方向及び−Ｄ２方向に第１シフト素子９１及び第２シフト素子９２が回動さ
れた場合の１つの調光画素の第１変調光の中心位置を示している。例えば「＋１．０」は
、各シフト素子９１，９２が回動されて、第１変調光の中心位置が＋Ｄ１方向及び＋Ｄ２
方向に１変調画素分移動された状態を示し、「−１．０」は、各シフト素子９１，９２が
回動されて、第１変調光の中心位置が−Ｄ１方向及び−Ｄ２方向に１変調画素分移動され
た状態を示している。また、図５における横軸は、時間経過を示している。
【００４１】
ここで、図５に示すように、第１駆動部９３による第１シフト素子９１の±Ｄ１方向へ
の往復回動の周期と、第２駆動部９４による第２シフト素子９２の±Ｄ２方向への往復回
動の周期とは、それぞれ異なる。すなわち、第１駆動部９３及び第２駆動部９４は、上記
のように、それぞれ異なる周波数にて第１シフト素子９１及び第２シフト素子９２を往復
回動させる。
このように各シフト素子９１，９２が回動されると、１つの調光画素による第１変調光
の中心位置は、当該１つの調光画素に対応する１つの変調画素において至るところに移動
する。このため、第１変調光は、１つの変調画素を均一に照明する。
【００４２】
なお、各駆動部９３，９４は、上記のように、１つの調光画素の第１変調光の中心位置
が、±方向に１変調画素分移動されるように、各シフト素子９１，９２を回動させる。
具体的に、第１駆動部９３は、＋Ｄ１方向に第１シフト素子９１を回動させる際には、
１つの調光画素による第１変調光の中心位置が１変調画素分＋Ｄ１方向に移動されるまで
、第１シフト素子９１を回動させる。また、第１駆動部９３は、−Ｄ１方向に第１シフト
素子９１を回動させる際には、１つの調光画素による第１変調光の中心位置が１変調画素
分−Ｄ１方向に移動されるまで、第１シフト素子９１を回動させる。
同様に、第２駆動部９４は、＋Ｄ２方向に第２シフト素子９２を回動させる際には、１
つの調光画素による第１変調光の中心位置が１変調画素分＋Ｄ２方向に移動されるまで、
第２シフト素子９２を回動させる。また、第２駆動部９４は、−Ｄ２方向に第２シフト素
子９２を回動させる際には、１つの調光画素による第１変調光の中心位置が１変調画素分
−Ｄ２方向に移動されるまで、第２シフト素子９２を回動させる。
【００４３】
［光拡散装置によって拡大される第１変調光の照射範囲］
図６は、調光ライトバルブ４２の変調面４４１を構成する各調光画素４４２による調光
状態を示す模式図である。また、図７は、光拡散装置９によって第１変調光を拡散させた
場合に画像形成ライトバルブ６１の変調面６３１を構成する各変調画素６３２に入射され
る第１変調光の範囲を示す模式図である。
ここで、図６に示すように、複数の調光画素４４２のうち、調光画素４４２Ａが、入射
される光の輝度を調整して第１変調光として出射し、調光画素４４２Ｂが、入射される光
を遮蔽したとする。このような第１変調光は、上記光拡散装置９及びリレー装置５を介し
て上記変調面６３１に入射される。この場合、図７に示すように、当該変調面６３１を構
成する変調画素６３２のうち、上記調光画素４４２Ａに対応する変調画素６３２Ａだけで
なく、当該変調画素６３２Ａと隣り合う変調画素６３２Ｂにも、変調画素６３２Ａに主に
入射される第１変調光が入射される。
【００４４】
例えば、第１変調光を出射する調光画素４４２Ａのうち、図６における右下の調光画素
４４２Ｃから出射された第１変調光は、図７において対応する変調画素６３２Ｃに主に入
射される。この他、当該調光画素４４２Ｃから出射された第１変調光の照射範囲は、上記
各駆動部９３，９４が各シフト素子９１，９２を回動させることにより広がる。このため
、変調画素６３２Ｃと隣り合う変調画素６３２（図７の例では、変調画素６３２Ｃと隣り
合い、かつ、当該変調画素６３２Ｃを囲む変調画素６３２）にも入射される。このため、
当該第１変調光は、変調画素６３２Ｃを仕切るブラックマトリクスにも入射される。
なお、図６及び図７に示した例では、調光画素４４２Ｂは、入射される光を遮蔽してい
るので、当該調光画素４４２Ｂに対応する変調画素６３２Ｂには、当該調光画素４４２Ｂ
による第１変調光は入射されない。
【００４５】
このように各シフト素子９１，９２が往復回動されて、調光画素毎の第１変調光が拡散
されて、対応する変調画素に入射されることにより、画像形成ライトバルブ６１に入射さ
れる光の照明分布を、配光分布に依存しない照明分布とすることができる。そして、これ
により、配光分布によらず調光ライトバルブ４２のブラックマトリクスを目立たなくする
ことができ、ひいては、投射画像にモアレが生じることを抑制できる他、投射画像に本来
は無いスジが現れることを抑制できる。
【００４６】
なお、第１シフト素子９１及び第２シフト素子９２の振幅は、必ずしも第１変調光の中
心位置の１変調画素分の移動量に対応してなくてもよい。
例えば、調光ライトバルブ４２の変調面４４１において、各シフト素子９１，９２の往
復回動によって第１変調光が移動される方向（振幅方向）に隣接する調光画素４４２間の
ピッチをＬとし、リレー装置５の倍率をＭとした場合、各シフト素子９１，９２の往復回
動の振幅を、０．５ＭＬ以上、４ＭＬ以下の範囲内の値とすれば、１つの調光画素４４２
による第１変調光を、対応する変調画素を中心とし、当該変調画素６３２を含む広い範囲
に入射させることができる。特に、第１シフト素子９１の往復回動による第１変調光の振
幅方向が、調光画素４４２及び変調画素６３２の対角方向である±Ｄ１方向であり、第２
シフト素子９２の往復回動による第１変調光の振幅方向が、調光画素４４２及び変調画素
６３２の対角方向である±Ｄ２方向であるので、各シフト素子９１，９２の往復回動の振
幅を０．５ＭＬとすることにより、当該効果を一層好適に奏することができる。
【００４７】
以上説明した本実施形態に係るプロジェクター１によれば、以下の効果がある。
調光ライトバルブ４２から出射された第１変調光は、リレー装置５を介して画像形成ラ
イトバルブ６１の変調面６３１に結像される際に、光拡散装置９によって拡散されて当該
変調面６３１に入射される。これによれば、調光ライトバルブ４２による第１変調光を拡
散させて、画像形成ライトバルブ６１の変調面６３１に入射させることができるので、画
像形成ライトバルブ６１に入射される光の照明分布を、配光分布に依存しない照明分布と
することができる。このため、第１光変調装置に入射される光の配光分布によらず、調光
ライトバルブ４２の画素間、或いは、ブラックマトリクスを目立たなくすることが可能と
なり、ひいては、投射画像にモアレが生じることを抑制できる。更に、調光ライトバルブ
４２に入射される光の配向分布に偏りが生じた場合でも、投射画像に本来は無いスジが現
れることを抑制できる。従って、投射画像に乱れが生じることを抑制できる。
【００４８】
光拡散装置９は、入射される第１変調光に含まれる各調光画素による光を、画像形成ラ
イトバルブ６１において対応する変調画素を中心とし、当該変調画素より大きな所定範囲
に拡散させて入射させる。これによれば、上記モアレ及びスジの発生を確実に抑制でき、
投射画像が乱れることを確実に抑制できる。
【００４９】
光拡散装置９は、調光ライトバルブ４２とリレー装置５との間に配置される第１シフト
素子９１と、当該第１シフト素子９１に入射される第１変調光の中心軸に直交する第１回
動軸Ｒ１（当該中心軸に垂直な第１回動軸Ｒ１）を中心として、当該第１シフト素子９１
を所定周波数にて往復回動させる第１駆動部９３と、を有する。また、光拡散装置９は、
リレー装置５と画像形成ライトバルブ６１との間に配置される第２シフト素子９２と、当
該第２シフト素子９２に入射される第１変調光の中心軸及び上記第１回動軸Ｒ１のそれぞ
れと直交する第２回動軸（それぞれに垂直な第２回動軸）を中心として、当該第２シフト
素子９２を所定周波数にて往復回動させる第２駆動部９４と、を有する。これによれば、
第１駆動部９３によって往復回動される第１シフト素子９１による屈折によって、第１変
調光の中心位置を時間経過とともにずらすことができ、ひいては、当該第１変調光を確実
に拡散させることができる。同様に、第２駆動部９４によって往復回動される第２シフト
素子９２による屈折によって、第１変調光の中心位置を時間経過とともにずらすことがで
き、ひいては、当該第１変調光を確実に拡散させることができる。従って、上記効果を好
適に奏することができる。
【００５０】
また、画像形成ライトバルブ６１の変調面６３１に入射される第１変調光は、それぞれ
第１駆動部９３及び第２駆動部９４によって往復回動される第１シフト素子９１及び第２
シフト素子９２によって互いに直交する±Ｄ１方向及び±Ｄ２方向に拡散される。これに
よれば、或る１つの調光画素による第１変調光を、対応する変調画素を含む広い範囲に確
実に入射させることができる。従って、上記効果を確実に奏することができる。
【００５１】
第１駆動部９３及び第２駆動部９４は、それぞれ異なる周波数にて第１シフト素子９１
及び第２シフト素子９２を、互いに直交する±Ｄ１方向及び±Ｄ２方向に往復回動させる
。これによれば、調光画素毎の第１変調光の中心位置を、当該中心位置の移動可能範囲内
において至る所に移動させることができる。これによれば、調光画素毎の第１変調光によ
り、対応する変調画素を含む広い範囲に均一に照射できる。従って、投射画像に上記乱れ
が生じることを一層確実に抑制できる。
【００５２】
Ｍ及びＬを上記値とした場合、各シフト素子９１，９２の往復回動の振幅が０．５ＭＬ
以上、４ＭＬ以下であることにより、上記ブラックマトリクスを十分に目立たなくさせる
ことができるとともに、ハローが目立つことを抑制できる。特に、各シフト素子９１，９
２の往復回動によって移動される第１変調光の振幅の方向は、それぞれ調光画素４４２及
び変調画素６３２の対角方向である±Ｄ１方向及び±Ｄ２方向であるので、各シフト素子
９１，９２の往復回動の振幅を０．５ＭＬとすることにより、当該効果を一層好適に奏す
ることができる。
【００５３】
［第１実施形態の変形］
上記第１実施形態に係るプロジェクター１では、図５に示したように、第１駆動部９３
は、１変調画素分±Ｄ１方向に第１シフト素子９１を交互に往復回動させ、第２駆動部９
４は、１変調画素分±Ｄ２方向に第２シフト素子９２を交互に往復回動させた。しかしな
がら、各駆動部９３，９４による各シフト素子９１，９２の回動態様は、これに限らず、
他の回動態様を採用してもよい。
【００５４】
図８は、第１駆動部９３及び第２駆動部９４による第１シフト素子９１及び第２シフト
素子９２の他の回動態様を示す図である。なお、図８においても、図５と同様に、第１変
調光の中心位置が＋Ｄ１方向及び＋Ｄ２方向に１変調画素分移動する回動量を「＋１．０
」とし、−Ｄ１方向及び−Ｄ２方向に１変調画素分移動する回動量を「−１．０」として
示している。
例えば、図８に示すように、各駆動部９３，９４による第１シフト素子９１及び第２シ
フト素子９２の回動量を時間変化させてもよい。
【００５５】
このように各シフト素子９１，９２が回動されると、１つの調光画素による第１変調光
の中心位置は、上記と同様に±Ｄ１方向及び±Ｄ２方向に移動されるが、これら±Ｄ１方
向及び±Ｄ２方向への当該中心位置の移動量は、最大１変調画素分の範囲でｓｉｎ波（正
弦波）のように変化される。すなわち、当該中心位置の±Ｄ１方向への振幅は、次第に増
加した後、次第に減少し、また、±Ｄ２方向への振幅も、次第に増加した後、次第に減少
する。これら±Ｄ１方向及び±Ｄ２方向への当該中心位置の振幅周期は同じであるが、各
周期の位相はずれている。
このように第１変調光の中心位置が移動されると、図示を省略するが、±Ｄ１方向及び
±Ｄ２方向にそれぞれ１変調画素分の範囲内にて、＋Ｄ２方向側にずれた位置から渦巻状
に広がりながら移動した後、同様に渦巻状に縮小しつつ移動して、ある周期で元の位置に
戻る。
このようなシフト素子９１，９２の回動形態が採用される場合であっても、図５に示し
た回動形態が採用される場合と同様の効果を奏することができる。
【００５６】
図９は、第１駆動部９３及び第２駆動部９４による第１シフト素子９１及び第２シフト
素子９２の他の回動態様を示す図である。なお、図９においても、図５と同様に、第１変
調光の中心位置が＋Ｄ１方向及び＋Ｄ２方向に１変調画素分移動した場合を「＋１．０」
とし、−Ｄ１方向及び−Ｄ２方向に１変調画素分移動した場合を「−１．０」として示し
ている。
また例えば、±Ｄ１方向及び±Ｄ２方向のうち少なくともいずれかの方向への振幅が時
間変化するように、各駆動部９３，９４が、各シフト素子９１，９２を回動させてもよい
。例えば、各駆動部９３，９４が、図９に示すように各シフト素子９１，９２を回動させ
てもよい。
【００５７】
この図９に示す例では、各シフト素子９１，９２を±Ｄ１方向及び±Ｄ２方向のそれぞ
れに５回交互に回動させる間に、当該各シフト素子９１，９２の回動量を、第１変調光の
中心位置が最大１変調画素分移動する範囲で次第に増加させた後、次第に減少させ、＋方
向への回動量と−方向への回動量とを逆にして、当該各シフト素子９１，９２を±Ｄ１方
向及び±Ｄ２方向のそれぞれに更に５回振幅させる。そして、上記５回ずつ計１０回の振
幅を１周期とした場合に、第２シフト素子９２の±Ｄ２方向への回動の位相に対して、第
１シフト素子９１の±Ｄ１方向への回動の位相を１／４周期ずらしている。換言すると、
それぞれの上記１周期に応じた時間は同じである状態で、±Ｄ１方向への第１シフト素子
９１の回動が開始されてから、１／４周期に応じた時間が経過した後に、±Ｄ２方向への
第２シフト素子９２の回動周期が開始される。
このように第１シフト素子９１，９２が回動されると、或る調光画素による第１変調光
の中心位置は、図示を省略するが、±Ｄ１方向及び±Ｄ２方向にそれぞれ１変調画素分の
範囲内にて、中心を起点とする花型（花模様）の軌跡を描くように移動する。
このようなシフト素子９１，９２の回動形態が採用される場合であっても、図５に示し
た回動形態が採用される場合と同様の効果を奏することができる。
【００５８】
［第２実施形態］
次に、本発明の第２実施形態について説明する。
本実施形態に係るプロジェクターは、上記プロジェクター１と同様の構成を有するが、
光拡散装置の構成が異なる。なお、以下の説明では、既に説明した部分と同一又は略同一
である部分については、同一の符号を付して説明を省略する。
【００５９】
図１０は、本実施形態に係るプロジェクター１Ａが有する光学装置１０Ａの一部を示す
模式図である。なお、図１０においては、色分離装置３が有する反射ミラーによる光路の
変更を省略している。
本実施形態に係るプロジェクター１Ａは、光拡散装置９に代えて光拡散装置９Ａを備え
る他は、上記プロジェクター１と同様の構成及び機能を有する。
光拡散装置９Ａは、上記光拡散装置９と同様に、色分離装置３によって分離された色光
毎に設けられ、上記調光装置４から入射される調光画素毎の第１変調光を拡散させ、これ
により、上記画像形成ライトバルブ６１の変調面６３１において対応する変調画素を含む
広い範囲に入射させる。
【００６０】
この光拡散装置９Ａは、調光ライトバルブ４２とメニスカスレンズ５２との間に配置さ
れ、入射された光を拡散させる機能を有する拡散板により構成されている。このような拡
散板としては、表面にレンズ形状やランダムな凹凸形状が形成されたものや、光透過性部
材内に屈折率が異なる粒子等が封入されたものを例示できる。しかしながら、これに限ら
ず、入射された光を拡散させる機能を有するものであれば、拡散板の構成は問わない。
このような光拡散装置９Ａは、第１変調光がリレー装置５を介して画像形成ライトバル
ブ６１の変調面６３１に入射される際に、１つの調光画素による第１変調光が、対応する
変調画素を含み、かつ、当該変調画素より広い範囲に入射されるように、当該第１変調光
を拡散させる。本実施形態では、光拡散装置９Ａは、１つの調光画素による第１変調光の
照射範囲が、当該調光画素に対応する変調画素を中心として略２倍の範囲に拡大される程
度に、当該第１変調光を拡散させる。このため、１つの調光画素による第１変調光は、対
応する変調画素だけでなく、当該変調画素と隣り合う周囲の変調画素にも入射される。
【００６１】
なお、このような光拡散装置９Ａの位置は、上記位置に限らず、調光ライトバルブ４２
と画像形成ライトバルブ６１との間であれば、他の位置でもよい。例えば、リレー装置５
のメニスカスレンズ５３と画像形成ライトバルブ６１との間（すなわち、リレー装置５と
画像形成ライトバルブ６１との間）に配置されていてもよい。この場合、リレー装置５で
蹴られる光が少なくなるため、光利用効率を向上させることができる。
また、照明光軸Ａｘを中心として光拡散装置９Ａを回転させてもよい。この場合、光拡
散装置９Ａにより発生する画像形成装置６（画像形成ライトバルブ６１）上の照度むらを
緩和させることができる。
【００６２】
このような光拡散装置９Ａを備えるプロジェクター１Ａによれば、上記プロジェクター
１と同様の効果を奏することができる他、以下の効果を奏することができる。
光拡散装置９Ａは、調光ライトバルブ４２とリレー装置５との間の光路上に配置され、
入射される第１変調光を拡散させて画像形成ライトバルブ６１の変調面６３１に入射させ
る拡散板により構成されている。これによれば、上記光拡散装置９と同様に、光拡散装置
９Ａを通過する第１変調光を確実に拡散させることができる。従って、上記モアレ及びス
ジの発生を確実に抑制でき、投射画像が乱れることを確実に抑制できる。
【００６３】
拡散板により構成される光拡散装置９Ａが、調光ライトバルブ４２とリレー装置５との
間の光路上に配置されていることにより、画像形成ライトバルブ６１の変調面６３１まで
の距離を長くすることができ、当該光拡散装置９Ａによって第１変調光を確実に拡散させ
て当該変調面６３１に入射させることができる。従って、上記効果をより確実に奏するこ
とができる。
【００６４】
［実施形態の変形］
本発明は、上記実施形態に限定されるものではなく、本発明の目的を達成できる範囲で
の変形、改良等は本発明に含まれるものである。
上記各実施形態では、プロジェクター１，１Ａでは、照明装置２、色分離装置３、調光
装置４、リレー装置５、画像形成装置６、色合成装置７、投射光学装置８及び光拡散装置
９，９Ａは、図１に示す配置とした。しかしながら、本発明はこれに限らない。すなわち
、光学装置１０，１０Ａの配置は、適宜変更可能である。
【００６５】
上記各実施形態では、リレー装置５は、色分離装置３が有する反射ミラーによって光路
が９０°折り曲げられるものの、入射される第１変調光を一方向に進行させる構成であっ
た。しかしながら、本発明はこれに限らない。すなわち、リレー装置は、上記ダブルガウ
スレンズ５１を構成する第１レンズ及び第１色消しレンズと、メニスカスレンズと、反射
ミラーとを有し、メニスカスレンズ、第１レンズ及び第１色消しレンズを介して入射され
る第１変調光を反射ミラーによって折り返す構成としてもよい。
【００６６】
上記第１実施形態では、光拡散装置９は、１つの調光画素による第１変調光が、１変調
画素分±Ｄ１方向及び±Ｄ２方向に移動されるように、第１シフト素子９１及び第２シフ
ト素子９２が回動されるとした。しかしながら、本発明はこれに限らない。すなわち、光
拡散装置９によって拡散された第１変調光の照射範囲は、適宜変更可能である。上記第２
実施形態にて示した光拡散装置９Ａも同様である。
また、各シフト素子９１，９２の往復回動によって移動される第１変調光の振幅方向は
、調光画素４４２及び変調画素６３２の対角方向である±Ｄ１方向及び±Ｄ２方向である
とした。しかしながら、これに限らず、各ライトバルブ４２，６１における走査線及び信
号線のいずれかに沿う方向でもよい。更に、第１シフト素子９１の往復回動によって移動
される第１変調光の振幅方向と、第２シフト素子９２の往復回動によって移動される第１
変調光の振幅方向とは、互いに垂直な方向でなくてもよい。
【００６７】
上記第１実施形態では、光拡散装置９は、第１シフト素子９１及び第２シフト素子９２
と、これらを回動させる第１駆動部９３及び第２駆動部９４と、を備えるとした。しかし
ながら、本発明はこれに限らない。すなわち、第１シフト素子９１及び第１駆動部９３と
、第２シフト素子９２及び第２駆動部９４とのうち、一方のみを有していてもよい。
【００６８】
上記各実施形態では、照明装置２は、光源ランプ２２及びリフレクター２３を有する光
源装置２１を１つ備えるとした。しかしながら、本発明はこれに限らない。すなわち、照
明装置は、複数の光源装置を備える構成としてもよい。
【符号の説明】
【００６９】
１，１Ａ…プロジェクター、２１…光源装置、４２…調光ライトバルブ（第１光変調装
置）、４４２（４４２Ａ，４４２Ｂ）…調光画素、５…リレー装置、６１…画像形成ライ
トバルブ（第２光変調装置）、６３２（６３２Ａ，６３２Ｂ，６３２Ｃ）…変調画素、８
…投射光学装置、９，９Ａ…光拡散装置、９１…第１シフト素子（第１光透過板）、９２
…第２シフト素子（第２光透過板）、９３…第１駆動部、９４…第２駆動部。
【図１】
0006554925.tif 000002
【図２】
0006554925.tif 000003
【図３】
0006554925.tif 000004
【図４】
0006554925.tif 000005
【図５】
0006554925.tif 000006
【図６】
0006554925.tif 000007
【図７】
0006554925.tif 000008
【図８】
0006554925.tif 000009
【図９】
0006554925.tif 000010
【図１０】
0006554925.tif 000011